(57)【要約】【課題】使用者が容易に立ち上がること、および、移乗することが可能な手摺りを提供する。【解決手段】手摺り１０は、ベース部１００から上方に向かって延びた第１支柱２００および第２支柱３００と、ベース部１００から６０ｃｍ以上１００ｃｍ以下の高さにおいて、第１支柱２００と第２支柱３００とに架設された第１手摺り部４００と、ベース部１００から６０ｃｍ以上１００ｃｍ以下の高さであって、第１支柱２００および第２支柱３００から離れた位置において第１手摺り部４００に沿って延びた第２手摺り部５００と、第１支柱２００または第２支柱３００と第２手摺り部５００とに架設された連結部６００とを備えている。ベース部１００の上方から見て、第１支柱２００の基端の中心と第２支柱３００の基端の中心とを結ぶ線と、ベース部１００に投影される第２手摺り部５００との距離は、５ｃｍ以上１５ｃｍ以下である。【選択図】図１
2015202317.tif 000002
【特許請求の範囲】
【請求項１】
ベース部と、
前記ベース部から上方に向かって延びた第１支柱と、
前記第１支柱から離れた位置において、前記ベース部から上方に向かって延びた第２支柱と、
前記ベース部から６０ｃｍ以上１００ｃｍ以下の高さにおいて、前記第１支柱と前記第２支柱とに架設された第１手摺り部と、
前記ベース部から６０ｃｍ以上１００ｃｍ以下の高さであって、前記第１支柱および前記第２支柱から離れた位置において前記第１手摺り部に沿って延びた第２手摺り部と、
前記第１支柱または前記第２支柱と前記第２手摺り部とに架設された連結部と、
を備え、
前記ベース部の上方から見て、前記第１支柱の基端の中心と前記第２支柱の基端の中心とを結ぶ線と、前記ベース部に投影される前記第２手摺り部との距離は、５ｃｍ以上１５ｃｍ以下である、手摺り。
【請求項２】
前記連結部は、
前記第１手摺り部の前記第１支柱側の一端と、前記第２手摺り部の前記第１支柱側の一端とに架設された第１連結部と、
前記第１手摺り部の前記第２支柱側の一端と、前記第２手摺り部の前記第２支柱側の一端とに架設された第２連結部と、
のうち少なくとも一方を備えた、請求項１に記載された手摺り。
【請求項３】
前記第１連結部は、前記ベース部の上方から見て、前記第１手摺り部の前記第１支柱側の端部と前記第２手摺り部の前記第１支柱側の端部とを結ぶ直線よりも外側に湾曲し、および／または、
前記第２連結部は、前記ベース部の上方から見て、前記第１手摺り部の前記第２支柱側の端部と前記第２手摺り部の前記第２支柱側の端部とを結ぶ直線よりも外側に湾曲している、請求項２に記載された手摺り。
【請求項４】
前記第２手摺り部は、直線状に形成された、請求項１から３までの何れか一項に記載された手摺り。
【請求項５】
前記第１手摺り部は、直線状に形成された、請求項４に記載された手摺り。
【請求項６】
前記連結部は、前記第１手摺り部の中央部と前記第２手摺り部の中央部とに架設された第３連結部を備えた、請求項１から５までの何れか一項に記載された手摺り。
【請求項７】
前記ベース部の上方から見て、前記第１手摺り部と前記第２手摺り部との距離は、５ｃｍ以上１５ｃｍ以下である、請求項１から６までの何れか一項に記載された手摺り。
【請求項８】
前記第１手摺り部の前記ベース部からの高さと、前記第２手摺り部の前記ベース部からの高さとは、同じである、請求項１から７までの何れか一項に記載された手摺り。
【請求項９】
前記ベース部に設けられ、前記ベース部が浮き上がることを防止する浮き上がり防止部を備えた、請求項１から８までの何れか一項に記載された手摺り。
【請求項１０】
前記第１手摺り部は、底部に平らな面を有している、請求項１から９までの何れか一項に記載された手摺り。
【請求項１１】
ベース部と、
前記ベース部から上方に向かって延びた第１支柱と、
前記第１支柱から離れた位置において、前記ベース部から上方に向かって延びた第２支柱と、
前記ベース部から６０ｃｍ以上１００ｃｍ以下の高さにおいて、前記第１支柱と前記第２支柱とに架設された第１手摺り部と、
前記ベース部から６０ｃｍ以上１００ｃｍ以下の高さであって、前記第１支柱および前記第２支柱から離れた位置において前記第１手摺り部に沿って延びた第２手摺り部と、
前記第１支柱または前記第２支柱と前記第２手摺り部とに架設された連結部と、
を備え、
前記連結部は、
前記第１手摺り部の前記第１支柱側の一端と、前記第２手摺り部の前記第１支柱側の一端とに架設された第１連結部と、
前記第１手摺り部の前記第２支柱側の一端と、前記第２手摺り部の前記第２支柱側の一端とに架設された第２連結部と、
前記第１手摺り部の中央部と前記第２手摺り部の中央部とに架設された第３連結部と、
を備えた、手摺り。
【発明の詳細な説明】
【技術分野】
【０００１】
本発明は、手摺りに関する。ここで、手摺りとは、例えば、使用者が座った状態から立ち上がる際、または、任意の場所から任意の場所への移乗の際などの動作を補助する器具である。ここでは、例えば、ベッドの脇に仮設されるのに好適に用いられる手摺りに関する。
【背景技術】
【０００２】
例えば、特許文献１には、高齢者または要介護者などの使用者が立ち上がる際の補助具として使用される手摺りが開示されている。ここで開示される手摺りは、ベース部と、ベース部に立設された一対の支柱と、一対の支柱間に架設された手摺り部とを備えている。例えば、この手摺りは、手摺り部がベッドの側縁に対して平行になるようにして、ベッドの脇に配置される。このことによって、使用者は、手摺り部を手で握りながらベッドから立ち上がることができる。
【０００３】
特許文献２には、他の形態に係る手摺りが開示されている。ここで開示される手摺りは、ベース部と、ベース部に立設された第１支柱および第２支柱と、手摺り部と、第１連結部と、第２連結部とを備えている。手摺り部は、一対の支柱の上方において、第１支柱から第２支柱に向かって直線状に延びている。第１連結部は、第１支柱の上端と手摺り部の第１支柱側の一端とを繋いでいる。第２連結部は、第２支柱の上端と手摺り部の第２支柱側の一端とを繋いでいる。第１連結部および第２連結部は、平面視において、手摺り部と交差する方向に湾曲しながら延びている。特許文献２の手摺りによれば、使用者は手を常に同じ方向に向けることなく、いろいろな方向に向けた状態で手摺り部、第１連結部および第２連結部を把持することが可能となる。
【先行技術文献】
【特許文献】
【０００４】
【特許文献１】実用新案登録第３１２７５４２号公報
【特許文献２】実用新案登録第３１４８５２１号公報
【発明の概要】
【発明が解決しようとする課題】
【０００５】
しかしながら、特許文献１に開示された手摺り部では、一対の支柱の中央部の間に架設された棒状部が設けられている。使用者が特許文献１の手摺りを使用してベッドから立ち上がる際、先ず、手摺り部と向かい合うように座る。このとき、使用者の脚が棒状部に当たるおそれがあった。そのため、使用者は、手摺り部を手で握りながら、ベッドから立ち上がることが容易にできないことがあった。仮に、使用者の脚が棒状部に当たらないように、所要の間隔を設けて手摺りをベッドの脇に配置したとしても、ベッドから手摺り部までの距離が遠くなるため、使用者が手摺り部を手で握ってベッドから立ち上がるには、使いにくいものであった。
【０００６】
また、例えば、特許文献２に開示された手摺りを、手摺り部がベッドの側縁に対して直交するようにして、ベッドの脇に配置して使用する。特許文献２の手摺りでは、第１連結部は、第１支柱から上方へ向かって水平方向に湾曲しながら手摺り部の第１支柱側の一端へ延びている。第２連結部は、第２支柱から上方へ向かって水平方向に湾曲しながら手摺り部の第２支柱側の一端へ延びている。第１連結部および第２連結部の下方には空間がある。使用者は、その空間に脚を入れて、手摺り部を手で握ってベッドから立ち上がる。しかし、このとき、使用者の脚が第１連結部または第２連結部に当たることがあった。そのため、使用者が特許文献２の手摺りを使用してベッドから立ち上がりにくいことがあった。
【課題を解決するための手段】
【０００７】
ここで提案される手摺りは、ベース部と、ベース部から上方に向かって延びた第１支柱と、第１支柱から離れた位置において、ベース部から上方に向かって延びた第２支柱と、ベース部から６０ｃｍ以上１００ｃｍ以下の高さにおいて、第１支柱と第２支柱とに架設された第１手摺り部と、ベース部から６０ｃｍ以上１００ｃｍ以下の高さであって、第１支柱および第２支柱から離れた位置において第１手摺り部に沿って延びた第２手摺り部と、第１支柱または第２支柱と第２手摺り部とに架設された連結部とを備えている。ベース部の上方から見て、第１支柱の基端の中心と第２支柱の基端の中心とを結ぶ線と、ベース部に投影される第２手摺り部との距離は、５ｃｍ以上１５ｃｍ以下である。
【０００８】
この手摺りによれば、例えば、手摺りの第１支柱側または第２支柱側にベッドを配置したとする。本発明の手摺りには、ベース部から６０ｃｍ以上１００ｃｍ以下の高さの位置に、第１手摺り部および第２手摺り部が設けられている。また、ベース部の上方から見て、第１支柱の基端の中心と第２支柱の基端の中心とを結ぶ線と、ベース部に投影される第２手摺り部との距離は、５ｃｍ以上１５ｃｍ以下である。そのため、第２手摺り部の下方には、第１支柱側または第２支柱側から見て、幅が５ｃｍ以上１５ｃｍ以下であって、高さが６０ｃｍ以上１００ｃｍ以下の空間がある。よって、使用者が立ち上がる際、その空間に使用者の脚を入れた状態で、使用者が第１手摺り部と第２手摺り部とを握って立ち上がりやすい。
【０００９】
連結部は、例えば、第１手摺り部の第１支柱側の一端と、第２手摺り部の第１支柱側の一端とに架設された第１連結部と、第１手摺り部の第２支柱側の一端と、第２手摺り部の第２支柱側の一端とに架設された第２連結部とのうち少なくとも一方を備えてもよい。
【００１０】
また、第１連結部は、ベース部の上方から見て、第１手摺り部の第１支柱側の端部と第２手摺り部の第１支柱側の端部とを結ぶ直線よりも外側に湾曲していてもよい。この場合、第２連結部は、ベース部の上方から見て、第１手摺り部の第２支柱側の端部と第２手摺り部の第２支柱側の端部とを結ぶ直線よりも外側に湾曲していてもよい。また、連結部は、第１手摺り部の中央部と第２手摺り部の中央部とに架設された第３連結部を備えてもよい。
【００１１】
また、第２手摺り部は、直線状に形成されていてもよい。この場合、第１手摺り部は、直線状に形成されていてもよい。また、ベース部の上方から見て、第１手摺り部と第２手摺り部との距離は、５ｃｍ以上１５ｃｍ以下であってもよい。また、第１手摺り部のベース部からの高さと、第２手摺り部のベース部からの高さとは、同じであってもよい。また、第１手摺り部は、底部に平らな面を有してもよい。
【００１２】
また、ベース部に設けられ、ベース部が浮き上がることを防止する浮き上がり防止部を備えてもよい。
【００１３】
ここで提案される他の手摺りは、ベース部と、ベース部から上方に向かって延びた第１支柱と、第１支柱から離れた位置において、ベース部から上方に向かって延びた第２支柱と、ベース部から６０ｃｍ以上１００ｃｍ以下の高さにおいて、第１支柱と第２支柱とに架設された第１手摺り部と、ベース部から６０ｃｍ以上１００ｃｍ以下の高さであって、第１支柱および第２支柱から離れた位置において第１手摺り部に沿って延びた第２手摺り部と、第１支柱または第２支柱と第２手摺り部とに架設された連結部と、を備えている。連結部は、第１連結部と第２連結部と第３連結部とを備えている。第１連結部は、第１手摺り部の第１支柱側の一端と、第２手摺り部の第１支柱側の一端とに架設されている。第２連結部は、第１手摺り部の第２支柱側の一端と、第２手摺り部の第２支柱側の一端とに架設されている。第３連結部は、第１手摺り部の中央部と第２手摺り部の中央部とに架設されている。
【００１４】
この手摺りによれば、例えば、手摺りの第１支柱側にベッドを配置し、手摺りの第２手摺り部側にポータブルトイレを配置したとする。この場合、使用者は、第１連結部と第３連結部と第２手摺り部とを手で伝いながら、ベッドからポータブルトイレに移乗することができる。また、例えば、手摺りの第２支柱側にベッドを配置し、手摺りの第２手摺り部側にポータブルトイレを配置したとする。この場合、使用者は、第２連結部と第３連結部と第２手摺り部を手で伝いながら、ベッドからポータブルトイレに移乗することができる。よって、手摺りの第１支柱側および第２支柱側にベッドを配置した場合であっても、使用者は、手摺りを使用して容易に立ち上がることができる。また、使用者が第２手摺り部と向かい合う状態において、第２手摺り部を握って立ち上がる際、使用者側に荷重が掛かる。しかし、本実施形態では、第３連結部によって、その荷重に耐えることができる。
【図面の簡単な説明】
【００１５】
【図１】実施形態に係る手摺りの平面図である。
【図２】実施形態に係る手摺りの正面図である。
【図３】実施形態に係る手摺りの右側面図である。
【図４】ベース部材の平面図である。
【図５】ベース部材の底面図である。
【図６】図４のＶＩ−ＶＩ断面における断面図である。
【図７】手摺りの平面図である。
【図８】図１のＶＩＩＩ−ＶＩＩＩ断面における断面図であり、第１手摺り部の断面図である。
【図９】手摺り本体を分解した正面図である。
【図１０】第１支柱の縦断面図である。
【図１１】浮き上がり防止部材の平面図である。
【図１２】浮き上がり防止部材の正面図である。
【図１３】浮き上がり防止部材の左側面図である。
【図１４】浮き上がり防止部材の右側面図である。
【図１５】手摺りの使用例を示す図である。
【発明を実施するための形態】
【００１６】
以下、ここで提案される手摺りを図面に基づいて説明する。以下の図面において同じ作用を奏する部材や部位には、同じ符号を付し、重複する説明は省略または簡略化している。
【００１７】
図１は、実施形態に係る手摺り１０の平面図である。図２は、実施形態に係る手摺り１０の正面図である。図３は、実施形態に係る手摺り１０の右側面図である。手摺り１０は、図１から図３に示すように、ベース部としてのベース部材１００と、手摺り本体１５０と、浮き上がり防止部としての浮き上がり防止部材７００とを備えている。以下、先ず、ベース部材１００について説明し、その後、手摺り本体１５０、浮き上がり防止部材７００の順で説明する。
【００１８】
ベース部材１００は、図２に示すように、手摺り１０の土台となる部材である。図４は、ベース部材１００の平面図である。図５は、ベース部材１００の底面図である。図６は、図４のＶＩ−ＶＩ断面における断面図である。図４に示すように、ベース部材１００は、平板状の部材によって形成されている。図１から図６に示された例では、ベース部材１００の平面形状は、略長方形状である。また、ベース部材１００の角は丸くなっている。なお、以下の説明において、ベース部材１００の長辺に沿った方向を前後方向とし、ベース部材１００の短辺に沿った方向を左右方向としている。ただし、各方向は説明の便宜上定められたものであり、本発明を特に限定するものではない。また、各図面において、符号Ｆ、Ｒｒ、ＬおよびＲは、それぞれ手摺り１０の前、後、左および右を表している。本実施形態では、ベース部材１００は、図４から図６に示すように、ベース板１０１と、ベースマット１０２と、補強板１０３と、縁ゴム１０４とによって構成されている。
【００１９】
ベース板１０１は、ベース部材１００と略同形状の平板状の部材である。図６に示すように、ベース板１０１の周縁部から内側の位置Ａまでの部位は、ベース板１０１の全周に亘って、下側に折れ曲がっている。ベースマット１０２は、ベース板１０１の上面に配置されている。ベースマット１０２は、ベース板１０１よりも一回り小さい形状を有している。ベースマット１０２は、ベース板１０１の縁が露出するようにベース板１０１上に配置されている。補強板１０３は、図５に示すように、ベース板１０１の下側に折れ曲がった周縁部を除いた部位の下面の中央部分から後部に亘って配置されている。ここでは、補強板１０３は、略矩形状の部材である。補強板１０３は、例えば、鉄製の板である。補強板１０３の厚みは、例えば、１．５ｍｍ〜８ｍｍ程度（本実施形態では６ｍｍ）である。縁ゴム１０４は、ベース板１０１の縁に沿って取り付けられている。図６に示すように、ベースマット１０２および縁ゴム１０４をベース板１０１に取り付けたとき、縁ゴム１０４の上部と、ベースマット１０２の上部とは連続している。また、縁ゴム１０４は、ベース板１０１の縁に向かうに連れて厚みが薄くなっている。このことによって、例えば、使用者が手摺り１０を使用する際、使用者の足がベース部材１００の縁で躓いて怪我をしにくくすることができる。
【００２０】
ベース部材１００は、図４に示すように、第１取付部１００ａと、第２取付部１００ｂと、浮き上がり防止用取付部１００ｃ、１００ｄとを備えている。
【００２１】
第１取付部１００ａおよび第２取付部１００ｂには、図１に示すように、手摺り本体１５０が取り付けられる。第１取付部１００ａは、図４に示すように、ベース部材１００の中央部分の左側に設けられている。本実施形態では、第１取付部１００ａとして、ベース部材１００には、複数（ここでは、２つ）の締結孔１１０Ｌが形成されている。２つの締結孔１１０Ｌのうち一方は、ベース部材１００の前後方向の中心よりも若干後側の左側に形成されている。２つの締結孔１１０Ｌのうち他方は、一方の締結孔１１０Ｌよりも前方かつ右方に形成されている。
【００２２】
第２取付部１００ｂは、ベース部材１００の中央部分の右側に設けられている。本実施形態では、第２取付部１００ｂとして、ベース部材１００には、複数（ここでは、２つ）の締結孔１１０Ｒが形成されている。２つの締結孔１１０Ｒのうち一方は、ベース部材１０１の前後方向の中心よりも若干後側の右側に形成されている。２つの締結孔１１０Ｒのうち他方は、一方の締結孔１１０Ｒよりも前方かつ左方に形成されている。
【００２３】
浮き上がり防止用取付部１００ｃ、１００ｄには、浮き上がり防止部材７００が取り付けられる。浮き上がり防止用取付部１００ｃは、ベース部材１００の後部の左側に設けられている。浮き上がり防止用取付部１００ｄは、ベース部材１００の後部の右側に設けられている。図１では、右側の浮き上がり防止用取付部１００ｄに浮き上がり防止部材７００が設けられている。しかし、左側の浮き上がり防止用取付部１００ｃに浮き上がり防止部材７００が設けられていてもよい。本実施形態では、浮き上がり防止用取付部１００ｃ、１００ｄとして、図４に示すように、ベース部材１００の後部の左側および右側には、それぞれ複数（ここでは、２つ）の締結孔１１１Ｌ、１１１Ｒが形成されている。２つの締結孔１１１Ｌおよび２つの締結孔１１１Ｒは、それぞれ前後方向に並んでいる。
【００２４】
ここでは、ベース部材１００の締結孔１１０Ｌ、１１０Ｒ、１１１Ｌ、１１１Ｒは、図６に示すように、ベース板１０１および補強板１０３に貫通するように形成されている。締結孔１１０Ｌ、１１０Ｒの補強板１０３の部分には、ねじ溝１１０Ｌ１、１１０Ｒ１が形成されている。同様に、図示は省略するが、締結孔１１１Ｌ、１１１Ｒの補強板１０３の部分には、ねじ溝が形成されている。また、ベースマット１０２には、図４に示すように、ベース部材１００の２つの締結孔１１０Ｌを囲むように切り欠き１１３Ｌが形成されている。同様に、ベースマット１０２には、ベース部材１００の２つの締結孔１１０Ｒを囲むように切り欠き１１３Ｒが形成されている。切り欠き１１３Ｌ、１１３Ｒは、略Ｌ字状に開口している。また、ベースマット１０２には、ベース板１０１の２つの締結孔１１１Ｌを囲むように、切り欠き１１４Ｌが形成されている。同様に、ベースマット１０２には、ベース板１０１の２つの締結孔１１１Ｒを囲むように、切り欠き１１４Ｒが形成されている。切り欠き１１４Ｌ、１１４Ｒは、略惰円形状に開口している。
【００２５】
次に、手摺り本体１５０について説明する。手摺り本体１５０は、図１に示すように、第１支柱２００と、第２支柱３００と、第１手摺り部４００と、第２手摺り部５００と、連結部６００とを備えている。以下、先ず、第１支柱２００および第２支柱３００について説明し、その後、第１手摺り部４００、第２手摺り部５００、連結部６００の順に説明する。
【００２６】
第１支柱２００は、図２に示すように、ベース部材１００から上方に向かって延びた支柱である。第２支柱３００は、第１支柱２００から離れた位置において、ベース部材１００から上方に向かって延びた支柱である。第１支柱２００および第２支柱３００は、長さを調節することが可能である。この長さ調節の機構に関しては後述する。ここでは、第１支柱２００は、図１に示すように、ベース部材１００の中央部分の左側に設けられた第１取付部１００ａに取り付けられている。第２支柱３００は、ベース部材１００の中央部分の右側に設けられた第２取付部１００ｂに取り付けられている。ここでは、第１支柱２００および第２支柱３００の基端２００ａ、３００ａには、フランジ２１０、３１０が設けられている。
【００２７】
図７は、手摺り１０の平面図である。なお、図７では、ベース部材１００に、第１支柱２００の下部および第２支柱３００の下部が取り付けられた状態を示している。フランジ２１０は、図７に示すように、第１支柱２００の基端２００ａから後方へ延び、かつ、第１支柱２００の基端２００ａから右方へ延びている。ここでは、フランジ２１０は、第１支柱２００の基端２００ａに溶接されている。フランジ２１０は、ベースマット１０２に形成された切り欠き１１３Ｌに合致するように、略Ｌ字状の形状を有している。フランジ２１０におけるベース部材１００に形成された締結孔１１０Ｌ（図４参照）に対応する位置には、締結孔２１１が形成されている。ここでは、フランジ２１０がベースマット１０２の切り欠き１１３Ｌ内に配置されるようにして、第１支柱２００はベース板１０１上に配置される。このとき、フランジ２１０の締結孔２１１と、ベース部材１００の締結孔１１０Ｌ（図６参照）とは重なる。このような状態において、ねじ２３０を上からフランジ２１０の締結孔２１１、ベース部材１００の締結孔１１０Ｌに順に挿入する。ねじ２３０をベース部材１００の締結孔１１０Ｌに挿入したとき、締結孔１１０Ｌの補強板１０３の部分に形成されたねじ溝１１０Ｌ１（図６参照）と、ねじ２３０とが係合する。このことで、第１支柱２００は、ベース部材１００に締結され、ベース部材１００に取り付けられる。本実施形態では、図２に示すように、第１支柱２００のフランジ２１０を覆うように、フランジカバー２１２が設けられている。フランジカバー２１２は、フランジ２１０に対応した形状、すなわち、略Ｌ字状の形状を有している。フランジカバー２１２には、第１支柱２００の下部が挿入される挿入孔（図示せず）が形成されている。
【００２８】
なお、フランジ３１０は、第１支柱２００の基端２００ａに設けられたフランジ２１０と同様の構成をしている。例えば、フランジ３１０は、第２支柱３００の基端３００ａから後方へ延び、かつ、第２支柱３００の基端３００ａから左方に延びている。フランジ３１０は、ベースマット１０２に形成された切り欠き１１３Ｒに合致するように、略Ｌ字状の形状を有している。フランジ３１０には、ベース部材１００に形成された締結孔１１０Ｒ（図４参照）に対応する位置に、締結孔３１１が形成されている。そして、フランジ３１０は、ねじ３３０によって、ベース部材１００に取り付けられている。また、第１支柱２００のフランジ２１０と同様に、フランジ３１０には、フランジ３１０を覆うようにして、略Ｌ字状の形状を有するフランジカバー３１２が設けられている。ここでは、第１支柱２００および第２支柱３００をベース部材１００に上から取り付けることができる。そのため、第１支柱２００および第２支柱３００と、ベース部材１００との取り付けおよび取り外しが容易である。
【００２９】
次に、第１手摺り部４００について説明する。第１手摺り部４００は、図３に示すように、ベース部材１００から６０ｃｍ以上１００ｃｍ以下、好ましくは７０ｃｍ以上８５ｃｍ以下の高さＨ１において、第１支柱２００と第２支柱３００とに架設されている。ここで、ベース部材１００から第１手摺り部４００までの高さＨ１は、側面視におけるベース部材１００の下面と直交する方向において、ベース部材１００の下面（換言すると、縁ゴム１０４の最下点）から第１手摺り部４００の最上点までの高さである。ここでは、図２に示すように、第１手摺り部４００は、第１支柱２００の上端と第２支柱３００の上端とに架け渡されている。第１手摺り部４００の左側の端部は、第１支柱２００の上部と繋がっている。また、第１手摺り部４００の右側の端部は、第２支柱３００の上部と繋がっている。
【００３０】
第１手摺り部４００は、図１に示すように、中空の棒状の形状を有している。ここでは、第１手摺り部４００は、略直線状に形成されている。図８は、図１のＶＩＩＩ−ＶＩＩＩ断面における断面図であり、第１手摺り部４００の断面図が示されている。図８に示すように、第１手摺り部４００は、底部に平らな面４００ａを有している。第１手摺り部４００の頂部４００ｂは、前側に偏っている。頂部４００ｂは、Ｒ状に形成されている。そして、頂部４００ｂから後方かつ下方になだらかな凸曲面４００ｃが設けられている。この凸曲面４００ｃの下端と底部の平らな面４００ａとは、後部のＲ形状の部位４００ｅを介して連続している。また、頂部４００ｂの前側には、略垂直に下方に延びた面４００ｄが設けられている。この面４００ｄの下端と底部の平らな面４００ａとは、前部のＲ形状の部位４００ｆを介して連続している。
【００３１】
次に、第２手摺り部５００について説明する。第２手摺り部５００は、図１に示すように、第１支柱２００および第２支柱３００から離れた位置において第１手摺り部４００に沿って延びている。ここでは、第２手摺り部５００は、連結部６００を介して、第１手摺り部４００と連結している。図３に示すように、ベース部材１００から第２手摺り部５００までの高さＨ２は、６０ｃｍ以上１００ｃｍ以下、好ましくは７０ｃｍ以上８５ｃｍ以下である。ここで、ベース部材１００から第２手摺り部５００までの高さＨ２は、ベース部材１００の上面と直交する方向において、ベース部材１００の上面から第２手摺り部５００の最下点までの高さである。
【００３２】
ここでは、ベース部材１００から第２手摺り部５００までの高さＨ２は、ベース部材１００から第１手摺り部４００までの高さＨ１と同じである。しかし、ベース部材１００から第２手摺り部５００までの高さＨ２と、ベース部材１００から第１手摺り部４００までの高さＨ１とは、異なっていてもよい。ベース部材１００から第２手摺り部５００までの高さＨ２は、ベース部材１００から第１手摺り部４００までの高さＨ１よりも高くてもよいし、低くてもよい。すなわち、第２手摺り部５００は、第１手摺り部４００よりも高い位置に設けられていてもよいし、第１手摺り部４００よりも低い位置に設けられていてもよい。
【００３３】
第２手摺り部５００は、図１に示すように、中空の棒状の形状を有している。ここでは、第２手摺り部５００は、略直線状に形成されている。ここでは、第２手摺り部５００は、第１手摺り部４００と略平行になるように配置されている。なお、第２手摺り部５００では、断面が略円形状である。しかし、第２手摺り部５００は、第１手摺り部４００と同様の形状であってもよい。例えば、第２手摺り部５００は、第１手摺り部４００と同様に、底部に平らな面を有していてもよい。
【００３４】
平面視において、第１支柱２００の基端２００ａの中心Ｃ１と、第２支柱３００の基端３００ａの中心Ｃ２とを結ぶ線Ｌ１と、ベース部材１００に投影される第２手摺り部５００との距離Ｄ１は、５ｃｍ以上１５ｃｍ以下、例えば、１０ｃｍ程度（本実施形態では、１１ｃｍ）である。このことによって、図３に示すように、ベース部材１００と第２手摺り部５００との間には、所望の空間Ｂが設けられている。ここで、距離Ｄ１は、図１に示すように、第１支柱２００の基端２００ａの中心Ｃ１と、第２支柱３００の基端３００ａの中心Ｃ２とを結ぶ線Ｌ１と直交する方向において、線Ｌ１と、ベース部材１００に投影される第２手摺り部５００のうち線Ｌ１に近い端との距離である。なお、ここで、第１支柱２００の基端２００ａおよび第２支柱３００の基端３００ａとは、第１支柱２００および第２支柱３００にフランジ２１０、３１０を設けた状態における、フランジ２１０、３１０の上面に対応した第１支柱２００および第２支柱３００の位置のことである。
【００３５】
平面視において、第１手摺り部４００と第２手摺り部５００との距離Ｄ２は、５ｃｍ以上１５ｃｍ以下、例えば、１０ｃｍ程度（本実施形態では、８ｃｍ）である。ここで、第１手摺り部４００と第２手摺り部５００との距離Ｄ２は、第１手摺り部４００の第２手摺り部５００側の面から第２手摺り部５００の第１手摺り部４００側の面までの距離である。詳しくは、距離Ｄ２は、平面視において、第１手摺り部４００の長さ方向と直交する方向において、第１手摺り部４００の第２手摺り部５００側の面から第２手摺り部５００の第１手摺り部４００側の面までの距離である。
【００３６】
連結部６００は、第１支柱２００または第２支柱３００と、第２手摺り部５００とに架設されている。ここでは、連結部６００は、第１連結部６０１と、第２連結部６０２と、第３連結部６０３とを備えている。第１連結部６０１は、第１手摺り部４００の第１支柱２００側の一端と、第２手摺り部５００の第１支柱２００側の一端とに架設されている。第１連結部６０１は、第１手摺り部４００を介して、第１支柱２００と、第２手摺り部５００とに架設されている。
【００３７】
第２連結部６０２は、第１手摺り部４００の第２支柱３００側の一端と、第２手摺り部５００の第２支柱３００側の一端とに架設されている。第２連結部６０２は、第１手摺り部４００を介して、第２支柱３００と、第２手摺り部５００とに架設されている。
【００３８】
ここでは、第１連結部６０１および第２連結部６０２は、曲線状の筒形状を有している。第１連結部６０１は、平面視において、第１手摺り部４００の第１支柱２００側の一端と、第２手摺り部５００の第１支柱２００側の一端とを結ぶ直線Ｌ１１よりも外側に湾曲している。同様に、第２連結部６０２は、平面視において、第１手摺り部４００の第２支柱３００側の一端と、第２手摺り部５００の第２支柱３００側の一端とを結ぶ直線Ｌ１２よりも外側に湾曲している。なお、第１連結部６０１および第２連結部６０２は、上側および下側には湾曲していない。ここでは、第１手摺り部４００、第１連結部６０１、第２手摺り部５００および第２連結部６０２は、環状に連結している。
【００３９】
第３連結部６０３は、第１手摺り部４００の中央部と第２手摺り部５００の中央部とに架設されている。ここでは、第３連結部６０３と、第１手摺り部４００と、第２手摺り部５００とは連続している。第３連結部６０３は略直線状の形状を有している。第３連結部６０３は、平面視において、第１手摺り部４００および第２手摺り部５００と略直交している。
【００４０】
本実施形態では、第１手摺り部４００と第１連結部６０１と第２手摺り部５００と第３連結部６０３とによって囲まれることで、空間Ｂ１が形成されている。また、第１手摺り部４００と第２連結部６０２と第２手摺り部５００と第３連結部６０３とによって囲まれることで、空間Ｂ２が形成されている。
【００４１】
第１手摺り部４００、第２手摺り部５００、第１連結部６０１、第２連結部６０２および第３連結部６０３の少なくとも表面は、柔らかい樹脂によって形成されている。この樹脂とは、弾性力が大きい材質の樹脂、例えば、エラストマーによって形成されている。このことによって、使用者は、第１手摺り部４００、第２手摺り部５００、第１連結部６０１、第２連結部６０２および第３連結部６０３を手で握る際、滑りにくくなる。
【００４２】
次に、本実施形態における手摺り本体１５０の第１支柱２００および第２支柱３００の構造をより詳細に説明する。図９は、手摺り本体１５０を分解した正面図である。図９に示すように、手摺り本体１５０は、上側部材１５１と、中間部材１５２と、下側部材１５３とによって構成されている。以下、上側部材１５１、中間部材１５２、下側部材１５３の順に説明する。
【００４３】
上側部材１５１では、上述した第１手摺り部４００、第１連結部６０１、第２手摺り部５００および第２連結部６０２によって環状に連結した部材に、第１支柱２００の上部２０１と、第２支柱３００の上部３０１とが連続している。第１支柱２００の上部２０１は、第１手摺り部４００の第１連結部６０１側の端部から下方に向かって延びている。第２支柱３００の上部３０１は、第１手摺り部４００の第２連結部６０２側の端部から下方に向かって延びている。本実施形態では、第１支柱２００の上部２０１の下端、および、第２支柱３００の上部３０１の下端には、下方に突出した突起２０１ａ、３０１ａが設けられている。
【００４４】
中間部材１５２は、第１支柱２００の中間部２０２と、第２支柱３００の中間部３０２と、上側架設部２２１と、下側架設部２２２とによって構成されている。第１支柱２００および第２支柱３００の中間部２０２、３０２は、略円筒状に形成されている。ここでは、第１支柱２００の中間部２０２の上端、および、第２支柱３００の中間部３０２の上端には、上方に突出した突起２０２ａ、３０２ａが設けられている。中間部材１５２と上側部材１５１とは、取付部材２０５、３０５を介して、互いに取り付けられている。
【００４５】
取付部材２０５、３０５は、円筒状の部材である。ここでは、第１支柱２００の上部２０１の下端に設けられた突起２０１ａが、取付部材２０５の上部に嵌る。そして、第１支柱２００の中間部２０２の上端に設けられた突起２０２ａが、取付部材２０５の下部に嵌る。同様に、取付部材３０５の上端には、第２支柱３００の上部３０１の突起３０１ａが嵌り、下端には、第２支柱３００の中間部３０２の突起３０２ａが嵌る。
【００４６】
上側架設部２２１および下側架設部２２２は、円筒または円柱形状を有している。上側架設部２２１は、第１支柱２００の中間部２０２および第２支柱３００の中間部３０２と略直交するように、中間部２０２の上部と中間部３０２の上部とに架設されている。下側架設部２２２は、上側架設部２２１の下方において、第１支柱２００の中間部２０２の中央部分と第２支柱３００の中間部３０２の中央部分とに架設されている。上側架設部２２１と下側架設部２２２とは、互いが略平行となるように配置されている。本実施形態では、第１支柱２００の中間部２０２と、第２支柱３００の中間部３０２と、上側架設部２２１と、下側架設部２２２とは、一体的に形成されている。なお、中間部２０２と中間部３０２とに架設されている架設部は、２つであるが、３つ以上であってもよいし、１つ以下であってもよい。
【００４７】
第１支柱２００の中間部２０２および第２支柱３００の中間部３０２における下側架設部２２２よりも下方の部位には、それぞれ長さ方向に並ぶように、複数（ここでは、それぞれ４つ）の調節溝２２０、３２０が形成されている。４つの調節溝２２０および４つの調節溝３２０は、それぞれ中間部２０２、３０２の周方向に沿って形成されている。第１支柱２００の中間部２０２の複数の調節溝２２０の各々と、第２支柱３００の中間部３０２の複数の調節溝３２０の各々とは、略同じ高さの位置に形成されている。ここでは、４つの調節溝２２０および４つの調節溝３２０は、互いに等間隔に並んでいるが、その間隔は特に限定されない。また、調節溝２２０、３２０の数も特に限定されない。本実施形態では、中間部材１５２の下端には、下側部材１５３が接続されている。
【００４８】
下側部材１５３は、第１支柱２００の下部を構成する第１支柱２００の下部部材２０３と、第２支柱３００の下部を構成する第２支柱３００の下部部材３０３とによって構成されている。第１支柱２００の下部部材２０３および第２支柱３００の下部部材３０３は、略円筒状に形成されている。ここでは、第１支柱２００の下部部材２０３および第２支柱３００の下部部材３０３の内径は、第１支柱２００の中間部２０２および第２支柱３００の中間部３０２の外径よりも若干大きい。第１支柱２００の中間部２０２は、第１支柱２００の下部部材２０３の上端から下部部材２０３に挿入されている。同様に、第２支柱３００の中間部３０２は、第２支柱３００の下部部材３０３の上端から下部部材３０３に挿入されている。第１支柱２００の下部部材２０３および第２支柱３００の下部部材３０３は、ベース部材１００から上方に向かって延びている。
【００４９】
中間部材１５２と下側部材１５３とは、取付部材２０６、３０６および位置決め部材２０７、３０７によって互いに取り付けられている。図１０は、第１支柱２００の縦断面図であり、第１支柱２００の中間部２０２と第１支柱２００の下部を構成する第１支柱２００の下部部材２０３との取り付け構造を示している。なお、ここでは、第１支柱２００と第２支柱３００とは、互いに対応した構造をしている。そのため、図１０では、括弧内には、第１支柱２００の各部品および部位に対応した第２支柱３００の各部品および部位の符号が付されている。図１０に示すように、位置決め部材２０７、３０７は、略筒状に形成されている。位置決め部材２０７、３０７は、周方向に略等間隔で、上端から中央部分に向かって切り欠けられている。このことによって、位置決め部材２０７、３０７の上部は、外からの力が加えられると内側に撓むようになる。また、位置決め部材２０７、３０７の上部の内面には、それぞれ突起２２０ａ、３２０ａが設けられている。位置決め部材２０７の突起２２０ａは、第１支柱２００の中間部２０２に形成された複数の調節溝２２０の何れかの溝に嵌る。位置決め部材３０７の突起３２０ａは、第２支柱３００の中間部３０２に形成された調節溝３２０の何れかの溝に嵌る。また、位置決め部材２０７、３０７の内面の中央部分には、それぞれ段差部２２０ｂ、３２０ｂが設けられている。段差部２２０ｂ、３２０ｂは、上側よりも下側の方が径が大きく、周方向に連続している。この段差部２２０ｂ、３２０ｂの下側には、それぞれ第１支柱２００および第２支柱３００の下部部材２０３、３０３の上端が当接する。また、位置決め部材２０７、３０７の段差部２２０ｂ、３２０ｂの下側に対応する位置決め部材２０７、３０７の外周面には、ねじ溝２２０ｃ、３２０ｃが形成されている。位置決め部材２０７、３０７には、それぞれ取付部材２０６、３０６が被せられる。
【００５０】
取付部材２０６、３０６は、それぞれ位置決め部材２０７、３０７よりも一回り大きい形状を有している。取付部材２０６、３０６の内面には、ねじ溝２２５、３２５が形成されている。このねじ溝２２５、３２５は、位置決め部材２０７、３０７のねじ溝２２０ｃ、３２０ｃに係合する。
【００５１】
取付部材２０６、３０６を位置決め部材２０７、３０７に被せて締め合わせた際、位置決め部材２０７、３０７が取付部材２０６、３０６に締め付けられる。このとき、位置決め部材２０７の突起２２０ａが第１支柱２００の中間部２０２に形成された複数の調節溝２２０の何れかの溝に嵌る。このことによって、第１支柱２００の中間部２０２と第１支柱２００の下部部材２０３とが固定される。また、詳しい説明は省略するが、同様に、位置決め部材３０７と取付部材３０６によって、第２支柱３００の中間部３０２と第２支柱３００の下部部材３０３とが固定される。なお、本実施形態では、第１支柱２００の中間部２０２と第２支柱３００の中間部３０２とは、上側架設部２２１および下側架設部２２２を介して、一体的に動くことが可能である。第１支柱２００および第２支柱３００は、上下方向すなわち長さ方向の長さを４段階で変更することが可能である。そのため、第１手摺り部４００および第２手摺り部５００の高さを４段階で調節することが可能である。
【００５２】
次に、浮き上がり防止部材７００について説明する。浮き上がり防止部材７００は、図１に示すように、ベース部材１００が浮き上がることを防止する部材である。ここでは、浮き上がり防止部材７００は、ベッドの側縁などの固定部材に取り付けられることによって、手摺り１０のベース部材１００が浮き上がることを防止する。浮き上がり防止部材７００は、第１手摺り部４００を基準にして第２手摺り部５００とは反対側に設けられている。浮き上がり防止部材７００は、ベース部材１００の後部の左側または右側に配置させることができる。ここでは、浮き上がり防止部材７００がベース部材１００の後部の右側に配置されている場合について説明する。なお、浮き上がり防止部材７００は、省略することが可能である。
【００５３】
図１１は、浮き上がり防止部材７００の平面図である。図１２は、浮き上がり防止部材７００の正面図である。図１３は、浮き上がり防止部材７００の左側面図である。図１４は、浮き上がり防止部材７００の右側面図である。浮き上がり防止部材７００は、図１１から図１４に示すように、ガイド支柱７０１と、スライド部材７０２と、狭持部材７０７とを備えている。
【００５４】
ガイド支柱７０１は、図３に示すように、ベース部材１００から上方へ延びている。ここでは、ガイド支柱７０１は、略角柱形状を有している。ガイド支柱７０１の下端には、図１４に示すように、フランジ７１１が設けられている。
【００５５】
フランジ７１１は、ガイド支柱７０１の下端から前方および後方へ延びている。フランジ７１１は、図１１に示すように、ベースマット１０２の切り欠き１１４Ｒに合致した形状を有している。また、フランジ７１１には、ベース部材１００の右側に形成された複数の締結孔１１１Ｒに対応する位置に、複数（ここでは２つ）の締結孔７１１ａが前後方向に並ぶように形成されている。
【００５６】
ここでは、ガイド支柱７０１の下端に設けられたフランジ７１１を、ベースマット１０２の後部の右部に形成された切り欠き１１４Ｒ（図９参照）内に配置するようにして、ガイド支柱７０１をベース板１０１上に配置する。このとき、フランジ７１１に形成された締結孔７１１ａと、ベース部材１００に形成された締結孔１１１Ｒ（図４参照）とが重なる。このような状態において、ねじ７７０を上からフランジ７１１の締結孔７１１ａ、ベース部材１００の締結孔１１１Ｒの順に挿入する。ねじ７７０を締結孔１１１Ｒの補強板１０３の部分に挿入したとき、ねじ７７０と、締結孔１１１Ｒの補強板１０３の部分に形成されたねじ溝（図示せず）とが係合する。このことで、ガイド支柱７０１は、ベース部材１００に締結され、ベース部材１００に取り付けられる。その後、フランジ７１１を覆うように、フランジカバー７１２をベース部材１００に装着する。フランジカバー７１２は、フランジ７１１に対応した形状を有している。
【００５７】
スライド部材７０２は、図１２に示すように、ガイド支柱７０１に対して上下方向に移動可能なものである。スライド部材７０２は、ガイド支柱７０１にスライド可能なように取り付けられており、任意の箇所でガイド支柱７０１に固定される。ここでは、スライド部材７０２は、スライド筒７１５と、スライド板７１６とを備えている。図１１に示すように、スライド筒７１５は、ガイド支柱７０２に合致した形状に形成されている。スライド筒７１５は、ガイド支柱７０２の外周形状に対応した形状を有している。ここでは、スライド筒７１５のベース部材１００の側縁と反対側の面（図１１では、左面）には、締結孔（図示せず）が形成されている。この締結孔の内面には、ねじ溝が形成されている。ここでは、スライド筒７１５をガイド支柱７０２に挿入し、ねじ７２０をスライド筒７１５の上記締結孔にねじ込む。そして、ねじ７２０の先端をガイド支柱７０１に当接させる。これによって、スライド部材７０２は、ガイド支柱７０１に固定される。スライド筒７１５のベース部材１００の側縁側の面（図１１では、右面）には、スライド板７１６が設けられている。
【００５８】
スライド板７１６は、図１３に示すように、スライド筒７１５から前後方向に延びた板状の部材である。ここでは、スライド板７１６の前端部および後端部には、それぞれ上下方向に並んだ２つの固定孔（図示せず）が形成されている。これら固定孔には、ねじ溝が形成されている。なお、スライド板７１６のベース部材１００の側縁側の面は、パット（図示せず）で覆われている。このパットは、摩擦力が大きい材質で形成されているとよい。
【００５９】
狭持部材７０７は、図１２に示すように、ベッドの側縁などの固定部材５ａを狭持するための部材である。狭持部材７０７は、スライド部材７０２のスライド板７１６の前部および後部に設けられており、スライド部材７０２と共にガイド支柱７０１に対して上下方向に移動する。本実施形態では、狭持部材７０７は、支持部７０３、７０４と、狭持部７０５、７０６とによって構成されている。
【００６０】
支持部７０３は、図１３に示すように、スライド部材７０２のスライド板７１６の前部に取り付けられている。支持部７０４は、スライド板７１６の後部に取り付けられている。ここでは、支持部７０３、７０４は、図１２に示すように、支持板７３１、７４１と、ガイド板７３２、７４２とを備えている。支持板７３１、７４１は、上下方向に延びた略板状の部材である。支持板７３１、７４１には、図１３に示すように、それぞれ上下方向に並んだ２つの固定孔７３５、７４５が形成されている。ここでは、支持板７３１、７４１は、図１１に示すように、スライド板７１６のベース部材１００の側縁とは反対側の面に配置される。このとき、支持板７３１、７４１の固定孔７３５、７４５は、それぞれ上述したスライド板７１６の固定孔（図示せず）と重なる。このような状態において、図１３に示すように、ねじ７３６、７４６が、固定孔７３５、７４５およびスライド板７１６の固定孔に挿入される。このようにして、支持板７３１、７４１は、それぞれスライド部材７０２のスライド板７１６に固定される。ここでは、支持板７３１、７４１の下端には、ガイド板７３２、７４２が連続している。
【００６１】
ガイド板７３２、７４２は、図１２に示すように、支持板７３１、７４１と略直交するように支持板７３１、７４１の下端から、スライド部材７０２のスライド板７１６の下方を通り、ベース部材１００の側縁の方向に向かって延びている。このとき、ガイド板７３２、７４２の先端は、図１１に示すように、ベース部材１００よりも外方（ここでは、ベース部材１００の右方）に位置する。
【００６２】
狭持部７０５は、前側の支持部７０３のガイド板７３２にスライド可能に取り付けられている。狭持部７０６は、後側の支持部７０４のガイド板７４２にスライド可能に取り付けられている。狭持部７０５、７０６は、それぞれガイド板７３２、７４２に沿って移動可能である。詳しくは、狭持部７０５、７０６は、図１４に示すように、それぞれ係合筒７５１、７６１と、狭持板７５２、７６２とを備えている。係合筒７５１、７６１は、支持部７０３、７０４のガイド板７３２、７４２に装着される。ここでは、図１３に示すように、係合筒７５１、７６１の後面には、ねじ溝を有する孔７５３、７６３が形成されている。本実施形態では、係合筒７５１、７６１の孔７５３、７６３にねじ７５５、７６５をねじ込む。そして、ねじ７５５、７６５の先端をガイド板７３２、７４２に当接させることによって、狭持部７０５、７０６が支持部７０３、７０４に固定される。
【００６３】
狭持板７５２、７６２は、係合筒７５１、７６１から上方に延びた板状のものである。狭持板７５２、７６２のスライド部材７０２のスライド板７１６側の面は、摩擦力が大きいパット（図示せず）で覆われている。図１２に示すように、狭持板７５２、７６２と、スライド部材７０２のスライド板７１６との間には、ベッドの側縁などの固定部材５ａが配置される。ここでは、狭持板７５２、７６２を支持部７０３、７０４のガイド板７３２、７４２に沿って移動させることによって、固定部材５ａの厚みに応じて、狭持板７５２、７６２と、スライド部材７０２のスライド板７１６との間隔を調節する。そして、狭持板７５２、７６２と、スライド部材７０２のスライド板７１６との間に固定部材５ａを狭持させる。このことによって、浮き上がり防止部材７００は、固定部５ａに固定される。そのため、浮き上がり防止部材７００によって、ベース部材１００が浮きがることを防止する。また、浮き上がり防止部材７００によって、ベース部材１００が固定部材５ａと直交する方向に移動することを防止することができる。
【００６４】
次に、手摺り１０の使用例について説明する。本実施形態に係る手摺り１０は、主に高齢者および身障者などのいわゆる要介護者などの使用者が使用するものである。要介護者は、手足などが不自由な場合、ベッドからトイレに行くことが困難な場合がある。そのため、要介護者が使用するベッドの脇には、ポータブルトイレが置かれることがある。本実施形態の手摺り１０は、壁などに固定される手摺りではなく、移動可能な手摺りである。図１５は、手摺り１０の使用例を示す図であり、手摺り１０を室内に配置した状態を示す図である。手摺り１０の使用態様は特に限定されないが、手摺り１０は、例えば、図１５に示すように、ベッド５とポータブルトイレ７とが配置された室内に設置される。手摺り１０は、使用者がベッド５から立ち上がる際、または、ベッド５からポータブルトイレ７に移乗する際に使用される。
【００６５】
この場合、例えば、手摺り１０は、ベッド５の側縁５ａと、第１手摺り部４００とが直交するようにベッドの脇に配置されるとよい。ここでは、手摺り１０の右方にベッド５が配置されているが、手摺り１０の左方にベッド５が配置されていてもよい。この場合、浮き上がり防止部材７００は、ベース部材１００の後部の左側に配置される。また、第２手摺り部５００と向かい合う位置、すなわち、手摺り１０の前方に、ポータブルトイレ７が配置されているとよい。ただし、ポータブルトイレ７は、手摺り１０におけるベッド５の反対側に配置されていてもよい。このように手摺り１０を配置したとき、図１４に示すように、浮き上がり防止部材７００のスライド部材７０２のスライド板７１６と、狭持部７０５の狭持板７５２との間、および、スライド板７１６と狭持部７０６の狭持板７６２との間には、ベッド５の側縁５ａが挟まれている。このことによって、手摺り１０は、ベッド５の側縁５ａによって固定されているため、ベース部材１００が浮き上がることを防止することができる。よって、安定した状態で手摺り１０を使用することができる。なお、本実施形態では、スライド部材７０２をガイド支柱７０１に対して上下方向にスライドさせることができる。このことによって、ベッド５の側縁５ａの高さに応じて、側縁５ａを挟むスライド部材７０２のスライド板７１６、および、狭持部７０５、７０６の狭持板７５２、７６２の高さを調節することができる。また、本実施形態では、第１支柱２００および第２支柱３００の長さを調節することができる。そのため、使用者の身長に応じて、第１支柱２００および第２支柱３００の長さを適宜調節することで、第１手摺り部４００および第２手摺り部５００などの高さを適宜調節することができる。
【００６６】
本実施形態では、手摺り１０は、図３に示すように、ベース部材１００から６０ｃｍ以上１００ｃｍ以下の高さＨ１において、第１支柱２００と第２支柱３００とに架設された第１手摺り部４００を備えている。また、手摺り１０は、ベース部材１００から６０ｃｍ以上１００ｃｍ以下の高さＨ２であって、第１支柱２００および第２支柱３００から離れた位置において第１手摺り部４００に沿って延びた第２手摺り部５００を備えている。そして、第１支柱２００または第２支柱３００と、第２手摺り部５００とには、連結部６００が架設されている。また、図１に示すように、ベース部材１００の上方から見て、第１支柱２００の基端２００ａの中心Ｃ１と第２支柱３００の基端３００ａの中心Ｃ２とを結ぶ線Ｌ１と、ベース部１００に投影される第２手摺り部５００との距離Ｄ１は、５ｃｍ以上１５ｃｍ以下である。そのため、第２手摺り部５００の下方には、側面視において、幅が５ｃｍ以上１５ｃｍ以下であって、高さが６０ｃｍ以上１００ｃｍ以下の空間Ｂが形成されている。使用者がベッド５から立ち上がる際、使用者は、ベース部材１００のベースマット１０２に足を置くと共に、第２手摺り部５００の下方に形成された空間Ｂに脚を入れることができる。よって、使用者の脚が第１支柱２００および第２支柱３００に接触しにくくなる。このとき、使用者の脚の上方には、第１手摺り部４００と第２手摺り部５００とが配置されているため、使用者は、自身の重心の近くで第１手摺り部４００と第２手摺り部５００とを握ることができる。そのため、使用者は、使用者の重心を手摺り１０の方へ移動させながら、第１手摺り部４００と第２手摺り部５００とを持って、体を腕で支えながら立ち上がることができる。このように、手摺り部１０を使用することによって、使用者はベッドから立ち上がりやすくなる。
【００６７】
使用者がベッド５からポータブルトイレ７に移乗する際、使用者は、ベース部材１００のベースマット１０２に足を置く。使用者は、第１手摺り部４００、第２手摺り部５００および連結部６００を手で握ってベッド５から立ち上がることができる。そして、使用者は、第１手摺り部４００、第２手摺り部５００および連結部６００を手で伝いながら、ポータブルトイレ７へ移動することができる。そして、例えば、使用者は、手で第２手摺り部５００を握りながらポータブルトイレ７に腰掛ける。また、ポータブルトイレ７からベッド５へ移乗する際、使用者は、例えば、手前に配置されている第２手摺り部５００を手で握ってポータブルトイレ７から立ち上がることができる。このとき、第２手摺り部５００の下方には空間Ｂが形成されているため、空間Ｂに脚を入れて立ち上がることで、自身の重心を第２手摺り部５００に近づけて第２手摺り部５００に体を引き付けつつ立ち上がることができる。そして、使用者が立ち上がった後、使用者は、第１手摺り部４００、第２手摺り部５００および連結部６００を手で伝いながらベッド５まで移動することができる。
【００６８】
また、本実施形態では、連結部６００は、図１に示すように、第１手摺り部４００の第１支柱２００側の一端と、第２手摺り部５００の第１支柱２００側の一端とに架設された第１連結部６０１と、第１手摺り部４００の第２支柱３００側の一端と、第２手摺り部５００の第２支柱３００側の一端とに架設された第２連結部６０２と、を備えている。例えば、手摺り１０の第１支柱２００が設けられた側、すなわち、手摺り１０の左方にベッド５を配置し、手摺り１０の前方にポータブルトイレ７を配置したとする。この場合、使用者は、例えば、第１連結部６０１と第２手摺り部５００を手で伝いながら、ベッド５からポータブルトイレ７に移乗することができる。また、図１５のように手摺り１０を配置した場合、使用者は、例えば、第２連結部６０２と第２手摺り部５００を手で伝いながら、ベッド５からポータブルトイレ７に移乗することができる。また、第２手摺り部５００は、第１手摺り部４００よりも前方に配置されているため、第２手摺り部５００を握って移乗することで、ポータブルトイレ７に腰掛けやすい。本実施形態では、手摺り１０の左方にベッド５を配置した場合であっても、右方にベッド５を配置した場合であっても、使用者は、手摺り１０を使用してベッド５から容易に立ち上がることができる。
【００６９】
なお、本実施形態では、連結部６００は、第１連結部６０１と、第２連結部６０２とを備えている。しかし、第１連結部６０１および／または第２連結部６０２は、省略してもよい。
【００７０】
本実施形態では、図１に示すように、第１連結部６０１は、ベース部１００の上方から見て、第１手摺り部４００の第１支柱２００側の端部と第２手摺り部５００の第１支柱２００側の端部とを結ぶ直線Ｌ１１よりも外側に湾曲している。例えば、手摺り１０の左方にベッド５を配置し、手摺り１０の前方にポータブルトイレ７を配置したとする。このとき、使用者がベッド５からポータブルトイレ７に移乗する際、手を返すことなく、第１連結部６０１および第２手摺り部５００を手で伝って移乗することができる。よって、使用者が移乗しやすくなる。
【００７１】
また、本実施形態では、第２連結部６０２は、ベース部１００の上方から見て、第１手摺り部４００の第２支柱３００側の端部と第２手摺り部５００の第２支柱３００側の端部とを結ぶ直線Ｌ１２よりも外側に湾曲している。このことによって、図１５のように手摺り１０を配置した場合、使用者は、手を返すことなく、第２連結部６０２および第２手摺り部５００を手で伝って、ベッド５からポータブルトイレ７に移乗することができる。よって、使用者が移乗しやすくなる。
【００７２】
なお、本実施形態では、第１連結部６０１および第２連結部６０２は、湾曲しているが、第１連結部６０１および／または第２連結部６０２は、直線状に形成されていてもよい。
【００７３】
本実施形態では、図１に示すように、第２手摺り部５００は、直線状に形成されている。使用者が第２手摺り部５００と向かい合う状態で立ち上がる際、第２手摺り部５００を両手で握って立ち上がることが好ましい。このとき、第２手摺り部５００は直線状に形成されているため、両手で均等に力をかけることができる。よって、使用者は立ち上がりやすい。
【００７４】
本実施形態では、第１手摺り部４００は、直線状に形成されている。ここでは、第１手摺り部４００と第２手摺り部５００とは、略平行になるように配置されている。図１５のように手摺り１０が配置されている場合、使用者は第１手摺り部４００および第２手摺り部５００を握ってベッド５から立ち上がることができる。このとき、第１手摺り部４００と第２手摺り部５００とが略平行に配置されているため、使用者は手に力がかけやすい。よって、手摺り１０を使用してベッド５から立ち上がりやすくなる。
【００７５】
また、本実施形態では、連結部６００は、第１手摺り部４００の中央部と第２手摺り部５００の中央部とに架設された第３連結部６０３を備えている。使用者が第２手摺り部５００と向かい合う状態において、第２手摺り部５００を握って立ち上がる際、使用者側に荷重が掛かる。しかし、本実施形態では、第３連結部６０３によって、その荷重に耐えることができる。
【００７６】
本実施形態では、第１手摺り部４００および第２手摺り部５００は、左右方向に延びている。第１連結部６０１および第２連結部６０２は、湾曲している。また、第３連結部６０３は、前後方向に延びている。使用者によっては、手摺り１０を使用する際、最も握りやすい手の位置や手の向きが異なる。本実施形態では、使用者が手で握り得る第１手摺り部４００および第２手摺り部５００と、第１連結部６０１および第２連結部６０２と、第３連結部６０３とは、向きが異なる。よって、あらゆる使用者によって、使用しやすい手摺り１０を提供することができる。
【００７７】
なお、本実施形態では、第３連結部６０３は１つであった。しかし、複数の第３連結部６０３が、第１手摺り部４００の中央部と第２手摺り部５００の中央部に架設されていてもよい。また、第３連結部６０３は、省略することも可能である。
【００７８】
本実施形態では、図１に示すように、ベース部１００の上方から見て、第１手摺り部４００と第２手摺り部５００との距離Ｄ２は、５ｃｍ以上１５ｃｍ以下である。このことによって、図１５のように手摺り１０を配置した場合、使用者は、第１手摺り部４００および第２手摺り部５００を両手で握りやすい。そのため、使用者は力がかけやすい。よって、手摺り１０を使用してベッド５から立ち上がりやすくなる。また、第１手摺り部４００と第２手摺り部５００との距離を上述した範囲にすることで、使用者は、第１手摺り部４００および第２手摺り部５００に腕を乗せやすい。よって、腕を第１手摺り部４００および第２手摺り部５００に乗せた状態で、使用者は立ち上がりやすくなる。また、例えば、使用者が転倒したとき、使用者の頭が第１手摺り部４００と第２手摺り部５００との間の隙間に入ることを防ぐことができる。本実施形態では、第１手摺り部４００と第２手摺り部５００との間には、使用者の手が入る程度の間隔が保たれている。そのため、使用者は、第１手摺り部４００と第２手摺り部５００との間に手を入れた状態で、第１手摺り部４００および第２手摺り部５００を握ることができる。そのため、使用者は力がかけやすいため、手摺り１０を使用してベッド５から立ち上がりやすい。
【００７９】
本実施形態では、図３に示すように、第１手摺り部４００の前記ベース部１００からの高さＨ１と、第２手摺り部５００のベース部１００からの高さＨ２とは、同じである。このことによって、図１５のように手摺り１０を配置した場合において、手摺り１０を使用してベッド５から立ち上がる際、第１手摺り部４００および第２手摺り部５００を両手で握って均等に力をかけることができる。よって、使用者は、手摺り１０を使用してベッド５から立ち上がりやすい。
【００８０】
また、本実施形態では、図８に示すように、第１手摺り部４００は、水平方向に広がった惰円形状である。第１手摺り部４００は、底部に平らな面を有しいている。このような形状は、使用者にとって、手で握りやすく、かつ、手に力がかけやすい。よって、使用者は、第１手摺り部４００を握って立ち上がりやすい。
【００８１】
本実施形態では、手摺り１０は、図１に示すように、ベース部１００に設けられ、ベース部１００が浮き上がることを防止する浮き上がり防止部７００を備えている。このことによって、使用者が手摺り１０を使用する際に、使用者側へ手摺り１０を引っ張って立ち上がるとき、ベース部１００が浮き上がることを防止することができる。
【００８２】
以上、本発明の手摺りの実施形態について説明した。しかし、上述の実施形態は例示に過ぎず、本発明の手摺りは他の種々の形態で実施することが可能である。
【符号の説明】
【００８３】
５  ベッド
５ａ  ベッドの側縁（固定部材）
７  ポータブルトイレ
１０  手摺り
１００  ベース部材（ベース部）
１００ａ  第１取付部
１００ｂ  第２取付部
１００ｃ  浮き上がり防止用取付部
１０１  ベース板
１０２  ベースマット
１０３  補強板
１０４  縁ゴム
１１０Ｌ、１１０Ｒ  締結孔
１１１Ｌ、１１１Ｒ  締結孔
１１３Ｌ、１１３Ｒ  切り欠き
１１４Ｌ、１１４Ｒ  取付孔
１５０  手摺り本体
１５１  上側部材
１５２  中間部材
１５３  下側部材
２００  第１支柱
２００ａ  基端
２０１  上部
２０２  中間部
２０３  下部部材
２０５  取付部材
２０６  取付部材
２０７  位置決め部材
２１０  フランジ
２１１  支柱側締結孔
２１２  フランジカバー
２２０  調節溝
２２０ａ  突起
２２０ｂ  段差部
２２１  上側架設部
２２２  下側架設部
３００  第２支柱
３００ａ  基端
３０１  上部
３０２  中間部
３０３  下部部材
３０５  取付部材
３０６  取付部材
３０７  位置決め部材
３１０  フランジ
３１１  締結孔
３１２  フランジカバー
３２０  調節溝
３２０ａ  突起
３２０ｂ  段差部
４００  第１手摺り部
４００ａ  平らな面
５００  第２手摺り部
６００  連結部
６０１  第１連結部
６０２  第２連結部
６０３  第３連結部
７００  浮き上がり防止部材（浮き上がり防止部）
７０１  ガイド支柱
７０２  スライド部材
７０３、７０４  支持部
７０５、７０６  狭持部
７０７  狭持部材
７１１  フランジ
７１１ａ  締結孔
７１２  フランジカバー
７１５  スライド筒
７１６  スライド板
７２０  ねじ
７３１、７４１  支持板
７３２、７４２  ガイド板
７３５、７４５  固定孔
７３６、７４６  ねじ
７５１、７６１  係合筒
７５２、７６２  狭持板
７５５、７６５  ねじ
【図１】
2015202317.tif 000003
【図２】
2015202317.tif 000004
【図３】
2015202317.tif 000005
【図４】
2015202317.tif 000006
【図５】
2015202317.tif 000007
【図６】
2015202317.tif 000008
【図７】
2015202317.tif 000009
【図８】
2015202317.tif 000010
【図９】
2015202317.tif 000011
【図１０】
2015202317.tif 000012
【図１１】
2015202317.tif 000013
【図１２】
2015202317.tif 000014
【図１３】
2015202317.tif 000015
【図１４】
2015202317.tif 000016
【図１５】
2015202317.tif 000017